(57)【特許請求の範囲】
【請求項１】
柄（１０）の先端部に形成された植毛台部（１１）に多数の植毛穴（２）が形成され、この植毛穴（２）に毛体束（３）が平線（４）を介して２つ折り状態で植毛されている植毛ブラシ（１Ａ）であって、
前記植毛穴（２）は植毛面（１２）から植毛台部（１１）の厚さ途中までの深さで形成され、
前記植毛穴（２）の穴底部から植毛台部（１１）の側面（１３）に連通して傾斜横穴（５）が形成され、
前記傾斜横穴（５）はその穴方向が植毛台部（１１）の植毛面（１２）と平行な面上において植毛台部（１１）の幅方向（矢印Ｍ方向）に対し植毛台部（１１）の先端方向（矢印Ｐ方向）に向けて傾斜角度（θ）を持って傾斜して形成され、
かつ前記平線（４）はその面方向が前記傾斜横穴（５）の穴方向と同一の傾斜角度（θ）を持った傾斜状態で植毛穴（２）に打ち込まれていることを特徴とした植毛ブラシ。
【請求項２】
柄（１０）の先端部に形成された植毛台部（１１）に多数の植毛穴（２）が形成され、この植毛穴（２）に毛体束（３）が平線（４）を介して２つ折り状態で植毛されている植毛ブラシ（１Ｂ）であって、
前記植毛穴（２）は植毛面（１２）から植毛台部（１１）の厚さ途中までの深さで形成され、
前記植毛穴（２）の穴底部から植毛台部（１１）の外面（１４）に連通して傾斜縦穴（６）が形成され、
前記傾斜縦穴（６）はその穴方向が植毛台部（１１）の側面（１３）と平行な面上において植毛台部（１１）の厚さ方向（矢印Ｔ方向）に対し植毛台部（１１）の先端方向（矢印Ｐ方向）に向けて傾斜角度（θ１）を持って傾斜して形成され、
かつ前記平線（４）はその面方向が植毛台部（１１）の側面（１３）と平行状態で植毛穴（２）に打ち込まれ、
前記傾斜縦穴（６）の穴底部（６ａ）が前記植毛穴（２）の穴底部（２ａ）に植毛台部（１１）の先端方向（矢印Ｐ方向）に位置ずれして連通するように形成されていることを特徴とした植毛ブラシ。
【請求項３】
請求項１又は２記載の植毛ブラシにおいて、前記毛体束（３）の基端面と植毛穴（２）の穴底面との間に隙（Ｓ）が生じる状態に平線（４）が打ち込まれている植毛ブラシ。
【請求項４】
請求項１又は２又は３記載の植毛ブラシにおいて、この植毛ブラシが歯ブラシ又はヘアブラシである植毛ブラシ。
【発明の詳細な説明】
【０００１】
【発明の属する技術分野】
本発明は、柄の先端部に形成された植毛台部に毛体束を植毛した植毛ブラシに関し、特に、歯ブラシ又はヘアブラシとして使用する際に、毛体の汚れを効果的に除去できるようにした植毛ブラシに関する。
【０００２】
【従来の技術】
従来、毛体の根元部分の汚れを除去するための工夫を施した歯ブラシとしては、例えば、植毛穴と植毛穴との間において植毛台部を貫通するように通水穴が形成された歯ブラシ（従来技術１）が知られている（特許文献１参照）。
又、植毛穴が植毛面から植毛台部の外面に貫通して形成されている歯ブラシ（従来技術２）が知られている（特許文献２、特許文献３参照）。
【０００３】
又、毛体束を、平線を用いて２つ折り状態で植毛穴に植毛した歯ブラシ（従来技術３）が知られている（特許文献４参照）。
【０００４】
【特許文献１】
登録実用新案第３０７１９４７号公報
【特許文献２】
特開平１０−４２９５３号公報
【特許文献３】
登録実用新案第３０８７０９４号公報
【特許文献４】
特開２００１−３１４２３１号公報
【０００５】
【発明が解決しようとする課題】
上記した従来の歯ブラシ（従来技術１）は、通水穴が植毛穴と植毛穴との間に形成されているため、水洗に際し、通水穴を通った水によって毛体の根元部分については、そこに溜まった汚れを洗い流すことができる。
しかしながら、毛体束を植毛させる植毛穴が、奥が塞がった有底穴であるため、この植毛穴に水を流通させることができず、従って、この植毛穴に植毛した毛体束の基部については、ここに溜まった汚れを洗い流すことができないという問題があった。
【０００６】
又、従来の歯ブラシ（従来技術２）は、植毛穴が植毛面から植毛台部の外面に貫通して形成されているため、水の通りが良好になり、毛体束の基部を効果的に水洗し、また乾燥しやすいという利点がある。
しかしながら、植毛穴が植毛面から植毛台部の外面まで一直線状に形成されているため、使用によって植毛束が次第に植毛穴に没入し、植毛穴から脱落してしまうことがあるという問題があった。又、植毛穴の下側にテーパ穴を形成すると、使用によって、テーパ穴に毛体の基部が押し込まれて毛体が詰まってしまい、水や空気の流通ができなくなるという問題があった。
【０００７】
また、毛体束の植毛に際し、平線を用いて２つ折り状態で植毛穴に植毛した場合（従来技術３）、平線をブラシの幅方向と同一方向に打ち込むようにすると、ブラシを通常は幅方向に往復移動させて使用するため、その使用によって２つ折りした毛体束が次第に開き、毛体束がバラケてしまうという問題があった。
【０００８】
歯ブラシやヘアブラシは、毛体束の基部を植毛穴に嵌入させて植毛したものであり、このため毛体束の基部では多数の毛体が窮屈に密集した状態になっている。
このように毛体が密集した毛体束の基部では、汚れが溜まると除去し難いし、また、乾燥しにくいため、カビ等も発生しやすく、植毛ブラシの中で特に非衛生的な部分といえる。
【０００９】
本発明は、このような毛体束の基部を効果的に水洗し、また乾燥しやすいように工夫し、更に、平線を用いて毛体束を植毛しながら、植毛穴に連通して形成した通水穴が平線によって塞がれることなく、スムーズな通水ができるようにした植毛ブラシを提供することを課題としている。
【００１０】
【課題を解決するための手段】
上記課題を解決するために、本発明（請求項１）の植毛ブラシは、
柄（１０）の先端部に形成された植毛台部（１１）に多数の植毛穴（２）が形成され、この植毛穴（２）に毛体束（３）が平線（４）を介して２つ折り状態で植毛されている植毛ブラシ（１Ａ）であって、
前記植毛穴（２）は植毛面（１２）から植毛台部（１１）の厚さ途中までの深さで形成され、
前記植毛穴（２）の穴底部から植毛台部（１１）の側面（１３）に連通して傾斜横穴（５）が形成され、
前記傾斜横穴（５）はその穴方向が植毛台部（１１）の植毛面（１２）と平行な面上において植毛台部（１１）の幅方向（矢印Ｍ方向）に対し植毛台部（１１）の先端方向（矢印Ｐ方向）に向けて傾斜角度（θ）を持って傾斜して形成され、
かつ前記平線（４）はその面方向が前記傾斜横穴（５）の穴方向と同一の傾斜角度（θ）を持った傾斜状態で植毛穴（２）に打ち込まれている構成とした。
なお、上記カッコ内の符号は、後述する実施例に記載した具体的手段との対応関係を示すものである。
【００１１】
また、本発明（請求項２）の植毛ブラシは、
柄（１０）の先端部に形成された植毛台部（１１）に多数の植毛穴（２）が形成され、この植毛穴（２）に毛体束（３）が平線（４）を介して２つ折り状態で植毛されている植毛ブラシ（１Ｂ）であって、
前記植毛穴（２）は植毛面（１２）から植毛台部（１１）の厚さ途中までの深さで形成され、
前記植毛穴（２）の穴底部から植毛台部（１１）の外面（１４）に連通して傾斜縦穴（６）が形成され、
前記傾斜縦穴（６）はその穴方向が植毛台部（１１）の側面（１３）と平行な面上において植毛台部（１１）の厚さ方向（矢印Ｔ方向）に対し植毛台部（１１）の先端方向（矢印Ｐ方向）に向けて傾斜角度（θ１）を持って傾斜して形成され、
かつ前記平線（４）はその面方向が植毛台部（１１）の側面（１３）と平行状態で植毛穴（２）に打ち込まれ、
前記傾斜縦穴（６）の穴底部（６ａ）が前記植毛穴（２）の穴底部（２ａ）に植毛台部（１１）の先端方向（矢印Ｐ方向）に位置ずれして連通するように形成されている構成とした。
なお、上記カッコ内の符号は、後述する実施例に記載した具体的手段との対応関係を示すものである。
【００１２】
また、本発明（請求項３）の植毛ブラシは、
請求項１又は２記載の植毛ブラシにおいて、前記毛体束（３）の基端面と植毛穴（２）の穴底面との間に隙（Ｓ）が生じる状態に平線（４）が打ち込まれている構成とした。
【００１３】
なお、本発明の植毛ブラシは、歯ブラシ又はヘアブラシに適用することができる（請求項４）。
【００１４】
【発明の実施の形態】
以下、本発明の実施の形態を図面に示す実施例により説明する。図面は本発明にかかる植毛ブラシの実施例を示すもので、図1は第１実施例の歯ブラシの要部を示す平面図、図２は図１のＡ−Ａ断面図、図３（イ）、（ロ）は図１のＢ−Ｂ断面図である。
【００１５】
この歯ブラシ１Ａは、柄１０の先端部に形成した植毛台部１１に多数（実施例では１列６個で２列の合計１２個）の植毛穴２が形成され、この植毛穴２に多数本の毛体を束ねた毛体束３が平線４を介して植毛されている。
前記植毛穴２は、植毛面１２から植毛台部１１の厚さ途中までの深さで形成されている。
又、前記平線４は、毛体束３を２つ折りにして植毛穴２に向けて打ち込まれ、その両端部を植毛穴２の穴周壁に食い込ませて固定されるもので、図３（イ）で示すように、前記毛体束３の基端面と植毛穴２の穴底面との間に隙Ｓが生じる状態に打ち込まれている。
【００１６】
そして、前記植毛穴２と傾斜横穴５を連通させるように、植毛穴２の穴底部から植毛台部１１の側面１３に貫通して傾斜横穴５が形成されている。
この傾斜横穴５は、その穴方向が植毛台部１１の植毛面１２と平行な面上において、植毛台部１１の幅方向（矢印Ｍ方向）に対し植毛台部１１の先端方向（矢印Ｐ方向）に向けて傾斜角度θを持って傾斜して形成されており（図１に示す）、その傾斜角度θは、概ね１０度〜４５度が適当であるが、１５度前後５度程度が好ましい。
又、前記平線４は、その面方向が前記傾斜横穴５の穴方向と同一方向に傾斜した状態で植毛穴２に打ち込まれる。即ち、植毛台部１１の幅方向（矢印Ｍ方向）に対し植毛台部１１の先端方向（矢印Ｐ方向）に向けて傾斜角度θを持った傾斜状態で植毛穴２に打ち込まれている。
【００１７】
このように構成した歯ブラシ１Ａは、植毛穴２に連通して傾斜横穴５が形成されているため、この植毛穴２と傾斜横穴５に水や空気を流通させることができる。
即ち、植毛穴２に植毛された毛体束３の基部において、多数の毛体の隙に水を流通させることによって汚れを除去させ、また、空気の流通により乾燥させることができ、これにより、特に非衛生的な部分といえる毛体束３の基部を効果的に水洗、乾燥して衛生的に保つことができる。
【００１８】
尚、水洗に際し、水をかけながら歯ブラシ１Ａの柄１０を持って振ったり、トントンと叩いたり、衝撃を加えるようにすれば、水の流通及び水切りが促進され、より効果的な汚れ除去及び乾燥ができる。
このとき、手の振りによって水は先端方向（矢印Ｐ方向）に向けて飛散することになるが、傾斜横穴５が傾斜角度θを持って植毛台部１１の幅方向（矢印Ｍ方向）に対し先端方向（矢印Ｐ方向）に傾斜するように形成されているため、手の振りに逆らうことなく、水をスムーズに飛散させることができ、水切りが良好に行なえる。
【００１９】
又、平線４が前記傾斜横穴の穴方向と同一方向、即ち、植毛台部１１の幅方向（矢印Ｍ方向）に対し傾斜角度θを持って先端方向（矢印Ｐ方向）に傾斜するように打ち込まれているため、歯ブラシ１Ａを幅方向（矢印Ｍ方向）に往復移動させて使用しても、その使用によって２つ折りした毛体束３が次第に開くことがなくなり、毛体束３がバラケてしまうのを抑制することができる。
また、平線４の向きと傾斜横穴５の向きが同一であるため、平線４によって傾斜横穴５が塞がれることがなく、植毛穴２と傾斜横穴５に水や空気をスムーズに流通させることができる。
【００２０】
又、平線４が、毛体束３の基端面と植毛穴２の穴底面との間に隙Ｓが生じる状態に打ち込まれているため、図３（ロ）で示すように、使用による圧力よって次第に毛体束３が隙Ｓに没入していき、毛体束３の折り返し部分に空隙Ｓ１を生じさせることできる。
この空隙Ｓ１により、毛体束３の基部への水や空気の流通を良好にさせることができる。
【００２１】
なお、前記毛体束３は、その先端が山切りカットされ、又、幅方向に隣り合う毛体束３，３同士の先端側が近づくように傾斜して植毛されており、これにより、歯と歯の間に毛体が入り易くなり、隅々まできれいに磨くことができるようになる。
【００２２】
次に、図４は第２実施例の歯ブラシの要部を示す平面図、図５は図４のＣ−Ｃ断面図である。
この歯ブラシ１Ｂは、植毛穴２と傾斜縦穴６を連通させるように、植毛穴２の穴底部から植毛台部１１の外面１４に貫通して傾斜縦穴６が形成されている。
前記傾斜縦穴６はその穴方向が植毛台部１１の側面１３と平行な面上において植毛台部１１の厚さ方向（矢印Ｔ方向）に対し植毛台部１１の先端方向（矢印Ｐ方向）に向けて傾斜角度（θ１）を持って傾斜して形成されている（図５に示す）。
【００２３】
又、前記植毛穴２に打ち込まれる平線４は、その面方向（矢印Ｎ方向）が植毛台部１１の側面１３と平行状態で植毛穴２に打ち込まれている。
なお、この平線４は、毛体束３の基端面と植毛穴の穴底面との間に隙Ｓが生じる状態に植毛穴に打ち込まれている。
また、前記傾斜縦穴の穴底部が前記植毛穴の穴底部に植毛台部の先端方向（矢印Ｐ方向）に穴半分程度が重なるように位置ずれして連通するように形成されている。
【００２４】
このように構成した歯ブラシ１Ｂは、植毛穴２に連通して傾斜縦穴６が形成されているため、この植毛穴２と傾斜縦穴６に水や空気を流通させることができ、特に非衛生的な部分といえる毛体束３の基部を効果的に水洗、乾燥して衛生的に保つことができる。
【００２５】
又、傾斜縦穴６が植毛台部１１の厚さ方向（矢印Ｔ方向）に対し植毛台部１１の先端方向（矢印Ｐ方向）に向けて傾斜角度（θ１）を持って傾斜して形成されているため、水洗に際し、手の振りに逆らうことなく、水をスムーズに飛散させることができ、水切りが良好に行なえる。
【００２６】
又、平線４が植毛台部１１の側面１３と平行に打ち込まれているため、歯ブラシ１Ｂを幅方向（矢印Ｍ方向）に往復移動させて使用しても、その使用によって２つ折りした毛体束３が次第に開くことがなくなる。
また、傾斜縦穴６の穴底部６ａが植毛穴２の穴底部２ａに植毛台部１１の先端方向（矢印Ｐ方向）に位置ずれして連通するよう形成されているため、毛体束３が植毛穴２から傾斜縦穴６内に没入するのを防止でき、毛体束がバラケてしまうのを抑制することができる。
また、平線４の面方向（矢印Ｎ方向）と傾斜縦穴６の向き（矢印Ｐ方向）が同一であるため、平線４によって傾斜縦穴６が塞がれることがなく、植毛穴２と傾斜縦穴６に水や空気をスムーズに流通させることができる。
【００２７】
なお、第２実施例の歯ブラシにおいて、その他の構成及び作用は、第１実施例の歯ブラシと同様である。
【００２８】
又、本発明において、実施例では、歯ブラシを植毛ブラシの例として挙げたが、ヘアブラシについても、同様の構成を適用できる。
又、第１実施例の構成と、第２実施例の構成を組み合わせることができるもので、例えば、２列にした場合、一方の列を第１実施例の構成とし、他方の列を第２実施例の構成としてもよい。
又、３列以上にした場合、両側の列については、第１実施例又は第２実施例の構成を適用できるが、内側の列については、第２実施例の構成を適用することになる。
【００２９】
【発明の効果】
以上説明してきたように、本発明（請求項１又は２）の植毛ブラシ（歯ブラシ、ヘアブラシ）にあっては、植毛穴に連通して傾斜横穴又は傾斜縦穴が形成されているため、この植毛穴と傾斜横穴又は傾斜縦穴に水や空気を流通させることができる。
即ち、植毛穴に嵌入された毛体束の基部において、多数の毛体の隙に水を流通させることによって汚れを除去させ、また、空気の流通により乾燥させることができ、これにより、特に非衛生的な部分といえる毛体束の基部を効果的に水洗、乾燥して衛生的に保つことができる。
【００３０】
又、傾斜横穴（請求項１）、又は傾斜縦穴（請求項２）が植毛台部の先端方向（矢印Ｐ方向）に向けて傾斜角度θ、又はθ１を持って傾斜して形成されているため、手の振りに逆らうことなく、水をスムーズに飛散させることができ、水切りが良好に行なえる。
【００３１】
又、平線が植毛台部の先端方向（矢印Ｐ方向）に向けて傾斜し（請求項１）、又は植毛台部の側面と平行に（請求項２）打ち込まれているため、植毛ブラシを幅方向に往復移動させて使用しても、その使用によって２つ折りした毛体束が次第に開くことがなくなり、毛体束がバラケてしまうのを抑制することができる。
また、平線の向きと傾斜横穴又は傾斜縦穴の向きが同一であるため、平線によって傾斜横穴又は傾斜縦穴が塞がれることがなく、植毛穴と傾斜横穴又は傾斜縦穴に水や空気をスムーズに流通させることができる。
【００３２】
又、平線を、毛体束の基端面と植毛穴の穴底面との間に隙が生じる状態に打ち込むようにすると（請求項３）、使用による圧力によって次第に毛体束が隙に没入していき、毛体束の折り返し部分に空隙を生じさせることできる。
これにより、毛体束の基部への水や空気の流通を良好にさせることができる。
【図面の簡単な説明】
【図１】  第１実施例の歯ブラシの要部を示す平面図である。
【図２】  図１のＡ−Ａ断面図である。
【図３】  図１のＢ−Ｂ断面図である。
【図４】  第２実施例の歯ブラシの要部を示す平面図である。
【図５】  図４のＣ−Ｃ断面図である。
【符号の説明】
１Ａ  歯ブラシ
１Ｂ  歯ブラシ
１０  柄
１１  植毛台部
１２  植毛面
１３  側面
１４  外面
２  植毛穴
２ａ  穴底部
３  毛体束
４  平線
５  傾斜横穴
６  傾斜縦穴
６ａ  穴底部
Ｓ  隙
Ｓ１  空隙
θ  傾斜角度
θ１  傾斜角度
【図１】
0004011449.tif 000002
【図２】
0004011449.tif 000003
【図３】
0004011449.tif 000004
【図４】
0004011449.tif 000005
【図５】
0004011449.tif 000006